(57)【要約】【課題】本願は、遮蔽体として遮蔽体を採用するとともに、このロールスクリーンの撓みを防止する電算機室空調システムを提供する。【解決手段】通路４を挟んで両側に設置される機器収容用ラック３と、空気調和装置とを備え、空気調和装置から吹き出された冷却用空気が、ラック３に収容された機器を冷却した後、ラック３の上方の空間を流動して空気調和装置に再び吸引される電算機室用空調システムであって、通路４を挟んで両側に設置されたラック３同士の上面間を覆い、通路４とラック３の上方の空間とを区画可能とするロールスクリーン５００と、ラック３のいずれか一方に、その上面側に位置させて取り付けられ、ロールスクリーン５００を巻取り、引出し可能とする巻取部２００と、巻取部からロールスクリーンを引き出したときに、ロールスクリーンの側部を支持するガイドレール３００Ａ、３００Ｂとを備えることを特徴とする。【選択図】図１
2010230188.tif 000002
【特許請求の範囲】
【請求項１】
床下に内部空間を有する通路を挟んで両側に対向して設置され、前面から給気して上面又は背面から熱を帯びた空気を吹き出す機器収容用ラックと、空気調和装置とを備え、前記空気調和装置から吹き出された冷却用空気が、前記内部空間を流動して、前記通路に設けられた孔からさらに前記通路の床上に流動し、この冷却用空気が前記機器収容用ラックに収容された機器を冷却した後、前記機器収容用ラックの上方の空間を流動して前記空気調和装置に再び吸引される電算機室用空調システムであって、
前記通路を挟んで両側に設置された前記機器収容用ラック同士の上面間を覆い、前記通路と前記機器収容用ラックの上方の空間とを区画可能とするロールスクリーンと、
前記機器収容用ラックのいずれか一方に、その上面側に位置させて取り付けられ、前記ロールスクリーンを巻取り、引出し可能とする巻取部と、
該巻取部から前記ロールスクリーンを引き出したときに、前記ロールスクリーンの側部を支持するガイドレールと、
を備えることを特徴とする電算機室用空調システム。
【請求項２】
請求項１に記載された電算機室用空調システムであって、
前記ガイドレールは、前記機器収容用ラック同士の上面間に、前記引き出されたロールスクリーンの両側に位置するように配置され、
該ガイドレールは、一方向に延在する内部が中空の杆材に、該一方向に向けてスリットを有するレール本体を備えて構成され、
前記ロールスクリーンの側部が前記レール本体の前記スリット内に位置して、走行可能とされていることを特徴とする電算機室用空調システム。
【請求項３】
請求項２に記載された電算機室用空調システムであって、
前記ガイドレールには、その内部が配線用空間とされた収納壁部が設けられていることを特徴とする電算機室用空調システム。
【請求項４】
請求項２又は３に記載された電算機室用空調システムであって、
前記ロールスクリーンの引き出し先端部には、該ロールスクリーンの幅方向にウエイトバーが取り付けられ、
該ウエイトバーの両端が前記ガイドレールに支持され、かつ該ガイドレール上を走行自在とされていることを特徴とする電算機室用空調システム。
【請求項５】
請求項４に記載された電算機室用空調システムであって、
前記巻取部は、前記ロールスクリーンを引張して巻き取る巻取機構を備え、
前記ウエイトバーの重量及び該ウエイトバーと前記ガイドレールとの摩擦力は、前記ウエイトバーを前記ガイドレール上の任意の位置に留めるときに、前記巻取機構の引張力に抗して、その位置に留まる大きさとされていることを特徴とする電算機室用空調システム。
【請求項６】
請求項２〜５に記載された電算機室用空調システムであって、
前記機器収容用ラックが前記通路の両側に、各々互いに隣接するように複数個設置され、
前記通路を挟んで対向する複数組の前記機器収容用ラックにそれぞれ前記巻取部、前記ロールスクリーン、及び前記ガイドレールが設けられ、
隣接する前記ガイドレールが互いに密着して配置されていることを特徴とする電算機室用空調システム。
【請求項７】
請求項４又は５に記載された電算機室用空調システムであって、
前記ロールスクリーンを引き出して、前記ウエイトバーを前記機器収容用ラックの他方側に到らせたときに、
該ウエイトバーを該機器収容用ラックの他方側に係止する係止機構を備えていることを特徴とする電算機室用空調システム。
【請求項８】
請求項１〜７のいずれか一項に記載された電算機室用空調システムであって、
前記対向して配置された前記機器収容用ラックの上面に、各々前記ロールスクリーンの幅方向に向けて、前記巻取部のケースを構成するロールスクリーンボックス及び保持ボックスが配置され、
前記ロールスクリーンの両側に位置する各前記ガイドレールのそれぞれ一端が前記ロールスクリーンボックスに固定され、それぞれの他端が前記保持ボックスに固定され、
前記ロールスクリーンボックス及び前記保持ボックスのいずれか一方が前記機器収容用ラックに固定され、他方が前記機器収容用ラックに対して水平方向に相対移動可能に設置されていることを特徴とする電算機室用空調システム。
【請求項９】
請求項１〜７のいずれか一項に記載された電算機室用空調システムであって、
前記対向して配置された前記機器収容用ラックの上面に、各々前記ロールスクリーンの幅方向に向けて、前記巻取部のケースを構成するロールスクリーンボックス及び保持ボックスが配置され、
前記ロールスクリーンの両側に位置する各前記ガイドレールのそれぞれ一端が前記ロールスクリーンボックスに固定され、それぞれの他端が前記保持ボックスに固定され、
前記対向して配置された機器収容用ラックの上面に、それぞれその内部を器具配置空間となる器具配置部材が固定され、
前記ロールスクリーンボックス及び前記保持ボックスのいずれか一方が前記器具配置部材の一方の上面側に固定され、同他方が前記器具配置部材の他方の上面側に相対移動可能に設置され、
前記各器具配置部材の内部に、照明器具が設置されていることを特徴とする電算機室用空調システム。
【請求項１０】
請求項２〜９のいずれか一項に記載された電算機室用空調システムであって、
前記機器収容用ラックが前記通路の両側に各々互いに隣接するように複数個配置され、
且つ、前記通路を挟んで対向して配置された一方及び他方の器具配置部材が固定され、
前記ロールスクリーンボックス及び保持ボックスのいずれか一方が前記一方の器具配置部材の上面に設置され、同他方が前記他方の器具配置部材の上面に設置されており、
前記隣接するように複数個設置された前記機器収容用ラックの高さが異なる場合に、前記機器配置部材の高さを調整して、前記ロールスクリーンボックス及び前記保持ボックスの高さを揃えるように構成されていることを特徴とする電算機室用空調システム。
【請求項１１】
請求項１０に記載された電算機室用空調システムであって、
一組の前記ロールスクリーンボックス及び前記保持ボックスの幅寸法が、隣接する他の一組の前記ロールスクリーンボックス及び前記保持ボックスの幅寸法と異なるように構成され、
前記隣接する前記機器収容用ラックの幅寸法と前記ロールスクリーンボックス及び前記保持ボックスの幅寸法とを揃えるように構成されていることを特徴とする電算機室用空調システム。
【発明の詳細な説明】
【技術分野】
【０００１】
本発明は、ロールスクリーンを用いた電算機室用空調システムに関する。
【背景技術】
【０００２】
従来、ある空間の空気の流れや温度を調整するための種々の空調システムが提案されている。
これら空調システムの中には、高集約化・高発熱化の傾向にあるＩＴ機器や通信装置等が設置される電算機室内において、機器周辺の空気の流れや温度を調整する電算機室用空調システムが知られている。
電算機室用空調システムとしては、所定空間（通路）を挟んで対向配置された複数の機器収容用ラックと、機器収容用ラックの側方であって、所定空間に対向配置された空気調和装置とを備えたものがある。
【０００３】
このような構成のもと、空気調和装置が、冷却用空気を下方に排出すると、その冷却用空気が所定空間に送られて、機器収容用ラックに吸い込まれる。そして、その冷却用空気は、機器収容用ラックに収容された機器を冷却することにより暖められた後、機器収容用ラックから吹き出される。そして、その暖められて吹き出された空気は、電算機室の上方空間を流動して、空気調和装置に吸い込まれて、再び冷却され排出される。
これにより、電算機室内の空気の流れや温度がコントロールされる。
【０００４】
ところが、暖められて機器収容用ラックから吹き出された空気の一部は、空気調和装置に送られることなく、上方又は通路空間からダイレクトに所定空間に還流されてしまう場合がある。その場合、所定空間に還流された空気は、暖められた状態のまま、あるいは上述の冷却用空気と混和されて再び機器収容用ラックに吸い込まれてしまうことがある。その場合、所定空間内に還流された暖かい空気を機器が吸い込むことにより高温障害が発生する恐れがある。また、この高温障害防止のため、空調機が過剰な運転を強いられ、空調機の効率が低下してしまうことがある。
そこで、通路を挟んで対向する機器収容用ラック同士の上面に遮蔽板（遮蔽体）を架け渡すことにより、上方空間から所定空間への空気の流動を防止することが考えられる（例えば、特許文献１参照）。
【先行技術文献】
【特許文献】
【０００５】
【特許文献１】特許第３８３５６１５号公報
【発明の概要】
【発明が解決しようとする課題】
【０００６】
ところで、特許文献１のように遮蔽板を設置する場合には、遮蔽板が機器収容用ラックの上面から容易に脱落するようなことが無い様、遮蔽板をこれら機器収容用ラックにボルト等を用いて固定するとともに、機器収容用ラック同士を互いに相対移動不可に固定している。
【０００７】
しかしながら、このように遮蔽体を機器収容用ラック同士に固定した場合、電算機室内の照明や火災報知器などの設備機器をメンテナンスする際に、メンテナンス作業者は、１枚ずつ遮蔽板を着脱しなければならない。１枚ずつ遮蔽板を着脱する際に、設備機器のメンテナンス作業における効率の低下、作業者が遮蔽板を取り外す場合に、遮蔽板が機器収容用ラックから落下する危険性の増大、及び取り外された遮蔽板を通路上に一時的に保管する保管スペースの確保などの問題が生じる。また、このような作業効率の悪化により、通路内にＩＴ機器や通信装置からの排気の侵入や空気調和機からの冷気の漏えいが生じることで、ＩＴ機器又は通信装置の高温障害が引き起こされる可能性がある。
また、遮蔽板として、取り外しが容易に可能なパネル材を用いた場合には、作業効率が多少向上することにより、高温障害の危険性が改善されるものの、作業時にパネル材が落下する危険性や保管スペースの確保という問題の改善には至らない。
一方、遮蔽板の取扱いを容易にするために、遮蔽板として、柔軟な素材を使用することが考えられる。しかし、柔軟な素材を使用した場合には、遮蔽体自体の自重又は通路内の圧力変動によって、遮蔽体に撓みが生じ、遮蔽が良好になされなくなるおそれがある。また、この場合の撓みは、機器収容用ラック内のＩＴ機器又は通信装置を操作する際に、機器収容用ラックの扉の開閉を妨げる可能性がある。
【０００８】
本発明は、このような事情を鑑みてなされたものであって、遮蔽体としてロールスクリーンを採用することにより、遮蔽体の取扱いを容易なものとし、遮蔽体の撓みを抑えて機器収容用ラックに収容された機器を効率よく冷却し得る電算機室用空調システムを提供することを目的とする。
【課題を解決するための手段】
【０００９】
前記目的を達成するために、本発明は、以下の手段を提案している。
すなわち、本発明に係る電算機室用空調システムは、床下に内部空間を有する通路を挟んで両側に対向して設置され、前面から給気して上面又は背面から熱を帯びた空気を吹き出す機器収容用ラックと、空気調和装置とを備え、前記空気調和装置から吹き出された冷却用空気が、前記内部空間を流動して、前記通路に設けられた孔からさらに前記通路の床上に流動し、この冷却用空気が前記機器収容用ラックに収容された機器を冷却した後、前記機器収容用ラックの上方の空間を流動して前記空気調和装置に再び吸引される電算機室用空調システムであって、前記通路を挟んで両側に設置された前記機器収容用ラック同士の上面間を覆い、前記通路と前記機器収容用ラックの上方の空間とを区画可能とするロールスクリーンと、前記機器収容用ラックのいずれか一方に、その上面側に位置させて取り付けられ、前記ロールスクリーンを巻取り、引出し可能とする巻取部と、該巻取部から前記ロールスクリーンを引き出したときに、前記ロールスクリーンの側部を支持するガイドレールとを備えることを特徴とする。
【００１０】
本発明に係る電算機室用空調システムにおいて、前記ガイドレールは、前記機器収容用ラック同士の上面間に、前記引き出されたロールスクリーンの両側に位置するように配置され、該ガイドレールは、一方向に延在する内部が中空の杆材に、該一方向に向けてスリットを有するレール本体を備えて構成され、前記ロールスクリーンの側部が前記レール本体の前記スリット内に位置して、走行可能とされていることとしてもよい。
【００１１】
本発明に係る電算機室用空調システムにおいて、前記ガイドレールには、その内部が配線用空間とされた収納壁部が設けられていることとしてもよい。
【００１２】
本発明に係る電算機室用空調システムにおいて、前記ロールスクリーンの引き出し先端部には、該ロールスクリーンの幅方向にウエイトバーが取り付けられ、該ウエイトバーの両端が前記ガイドレールに支持され、かつ該ガイドレール上を走行自在とされていることとしてもよい。
【００１３】
本発明に係る電算機室用空調システムにおいて、前記巻取部は、前記ロールスクリーンを引張して巻き取る巻取機構を備え、前記ウエイトバーの重量及び該ウエイトバーと前記ガイドレールとの摩擦力は、前記ウエイトバーを前記ガイドレール上の任意の位置に留めるときに、前記巻取機構の引張力に抗して、その位置に留まる大きさとされていることとしてもよい。
【００１４】
本発明に係る電算機室用空調システムにおいて、前記機器収容用ラックが前記通路の両側に、各々互いに隣接するように複数個設置され、前記通路を挟んで対向する複数組の前記機器収容用ラックにそれぞれ前記巻取部、前記ロールスクリーン、及び前記ガイドレールが設けられ、隣接する前記ガイドレールが互いに密着して配置されていることとしてもよい。
【００１５】
本発明に係る電算機室用空調システムにおいて、前記ロールスクリーンを引き出して、前記ウエイトバーを前記機器収容用ラックの他方側に到らせたときに、該ウエイトバーを該機器収容用ラックの他方側に係止する係止機構を備えていることとしてもよい。
【００１６】
本発明に係る電算機室用空調システムにおいて、前記対向して配置された前記機器収容用ラックの上面に、各々前記ロールスクリーンの幅方向に向けて、前記巻取部のケースを構成するロールスクリーンボックス及び保持ボックスが配置され、前記ロールスクリーンの両側に位置する各前記ガイドレールのそれぞれ一端が前記ロールスクリーンボックスに固定され、それぞれの他端が前記保持ボックスに固定され、前記ロールスクリーンボックス及び保持ボックスのいずれか一方が前記機器収容用ラックに固定され、他方が前記機器収容用ラックに対して水平方向に相対移動可能に設置されていることとしてもよい。
【００１７】
本発明に係る電算機室用空調システムにおいて、前記対向して配置された前記機器収容用ラックの上面に、各々前記ロールスクリーンの幅方向に向けて、前記巻取部のケースを構成するロールスクリーンボックス及び保持ボックスが配置され、前記ロールスクリーンの両側に位置する各前記ガイドレールのそれぞれ一端が前記ロールスクリーンボックスに固定され、それぞれの他端が前記保持ボックスに固定され、前記対向して配置された機器収容用ラックの上面に、それぞれその内部を器具配置空間となる器具配置部材が固定され、前記ロールスクリーンボックス及び前記保持ボックスのいずれか一方が前記器具配置部材の一方の上面側に固定され、同他方が前記器具配置部材の他方の上面側に相対移動可能に設置され、前記各器具配置部材の内部に、照明器具が設置されていることとしてもよい。
【００１８】
本発明に係る電算機室用空調システムにおいて、前記機器収容用ラックが前記通路の両側に各々互いに隣接するように複数個配置され、且つ、前記通路を挟んで対向して配置された一方及び他方の器具配置部材が固定され、前記ロールスクリーンボックス及び保持ボックスのいずれか一方が前記一方の器具配置部材の上面に設置され、同他方が前記他方の器具配置部材の上面に設置されており、前記隣接するように複数個設置された前記機器収容用ラックの高さが異なる場合に、前記機器配置部材の高さを調整して、前記ロールスクリーンボックス及び前記保持ボックスの高さを揃えるように構成されていることとしてもよい。
【００１９】
本発明に係る電算機室用空調システムにおいて、一組の前記ロールスクリーンボックス及び前記保持ボックスの幅寸法が、隣接する他の一組の前記ロールスクリーンボックス及び前記保持ボックスの幅寸法と異なるように構成され、前記隣接する前記機器収容用ラックの幅寸法と前記ロールスクリーンボックス及び前記保持ボックスの幅寸法とを揃えるように構成されていることとしてもよい。
【発明の効果】
【００２０】
本発明に係る電算機室用空調システムによれば、作業者が設備機器の保守・点検・整備を行う際には、ロールスクリーンを巻取ることが可能であり、ロールスクリーンをラックから取り外す必要が無いので、設備機器の保守・点検・整備における作業負荷の軽減、及び部材の落下防止、取り外したロールスクリーンの設置スペースが不要である。
さらに、本発明に係る電算機室用空調システムによれば、ロールスクリーンを支持するガイドレールを設けているので、ロールスクリーンの自重による撓み、及び空気調和装置の運転状態に伴う圧力変化によるロールスクリーンの撓みが防止される。
【００２１】
本発明に係る電算機室用空調システムによれば、前記ガイドレールは、一方向に延在する内部が中空の杆材に、該一方向に向けてスリットを有するレール本体を備えて構成され、前記ロールスクリーンの側部が前記レール本体の前記スリット内に位置して、走行可能とされているので、隙間がほとんど無くなり、空気調和装置からの冷却用空気の漏れ又はＩＴ機器や通信装置の排気の侵入を最小限に抑えることができる。
【００２２】
また、ガイドレールには、その内部が配線用空間とされた収納壁部が設けられているので、ガイドレールは、配線などを収納することができる。
【００２３】
また、前記ロールスクリーンの引き出し先端部には、該ロールスクリーンの幅方向にウエイトバーが取り付けられ、該ウエイトバーの両端が前記ガイドレールに支持され、かつ該ガイドレール上を走行自在とされているので、ウエイトバーは、ロールスクリーンの先端部の撓みを防止することができる。
【００２４】
また、前記巻取部は、前記ロールスクリーンを引張して巻き取る巻取機構を備え、前記ウエイトバーの重量及び該ウエイトバーと前記ガイドレールとの摩擦力は、前記ウエイトバーを前記ガイドレール上の任意の位置に留めるときに、前記巻取機構の引張力に抗して、その位置に留まる大きさとされているので、ウエイトバーがガイドレール上の任意の位置に留まることができる。従って、ロールスクリーンを引き出す位置を調整可能にし、メンテナンス時に空気調和装置からの冷却用空気の漏れ又はＩＴ機器や通信装置の排気の侵入を最小限に抑えることができる。
【００２５】
また、前記機器収容用ラックが前記通路の両側に、各々互いに隣接するように複数個設置され、前記通路を挟んで対向する複数組の前記機器収容用ラックにそれぞれ前記巻取部、前記ロールスクリーン、及び前記ガイドレールが設けられ、隣接する前記ガイドレールが互いに密着して配置されているので、通路内の冷却用空気又はＩＴ機器や通信装置の排気の侵入を最小限に抑えることができる。
【００２６】
また、前記ロールスクリーンを引き出して、前記ウエイトバーを前記機器収容用ラックの他方側に到らせたときに、該ウエイトバーを該機器収容用ラックに係止する係止機構を備えているので、ロールスクリーンが不用意に開くことを防止し、通路の遮蔽を確実にすることができる。
【００２７】
また、前記ロールスクリーンボックス及び前記保持ボックスのいずれか一方が前記機器収容用ラックに固定され、他方が前記機器収容用ラックに対して水平方向に相対移動可能に設置されているので、地震等によりこれらラックが振動又は揺動により変位しても、互いに応力を及ぼすことなく、それら変位が許容される。そのため、ラックなどが破損することが防止されている。
【００２８】
また、前記ロールスクリーンボックス及び保持ボックスの下側に配置され、且つラックの上面と固定される器具配置部材の内部には、照明器具が設置されているので、その照明器具によって、通路内を明るく照射することができる。
【００２９】
また、隣接するように複数個設置された前記機器収容用ラックの高さが異なる場合に、前記機器配置部材の高さを調整して、前記ロールスクリーンボックス及び前記保持ボックスの高さを揃えるように構成されているので、複数の異なる高さのラックに亘ってロールスクリーンボックス及び保持ボックスを配置することができる。
【００３０】
また、一組の前記ロールスクリーンボックス及び前記保持ボックスの幅寸法が、隣接する他の一組の前記ロールスクリーンボックス及び前記保持ボックスの幅寸法と異なるように構成され、前記隣接する前記機器収容用ラックの幅寸法と前記ロールスクリーンボックス及び前記保持ボックスの幅寸法とを揃えるように構成されているので、前記ロールスクリーンボックス及び前記保持ボックスの幅寸法は適宜選択することができ、それによって、通路の長さと一致するようにロールスクリーンボックス及び保持ボックスを配置することができる。
【図面の簡単な説明】
【００３１】
【図１】本発明の第１の実施形態に係る電算機室用空調システムの概略構成を示す斜視図である。
【図２】本発明の第１の実施形態に係るロールスクリーンユニットの平面図である。
【図３】本発明の第１の実施形態に係るロールスクリーンユニットの断面図である。
【図４】本発明の第１の実施形態に係るロールスクリーンボックスの拡大断面図である。
【図５】本発明の第１の実施形態に係る、異なる高さのラック上に配置された場合の斜視図である。
【図６】本発明の第１の実施形態に係る保持ボックスの拡大断面図である。
【図７】本発明の第１の実施形態に係る保持ボックスの拡大断面図である。
【図８】本発明の第１の実施形態に係るガイドレールの斜視図である。
【図９】本発明の第２の実施形態に係る保持ボックスの拡大断面図である。
【図１０】本発明の第２の実施形態に係る保持ボックスの斜視図である。
【発明を実施するための形態】
【００３２】
以下、本発明の第１の実施形態における電算機室用空調システムについて、図面を参照して説明する。
【００３３】
図１に示すように、電算機室用空調システム１００は、箱状に形成された電算機室１０１において利用されるものである。
まず、電算機室１０１について説明する。
電算機室１０１には、床下に内部空間５を有する二重床２を備えている。二重床２には、長手方向に延びる通路４が形成されている。二重床２には、その厚さ方向に貫通する矩形状の長孔８が形成されている。そして、長孔８の縁部の全周には、この長孔８を覆う矩形板状の孔あきパネル７が嵌め込まれている。孔あきパネル７には、厚さ方向に貫通する複数の孔が形成されている。これにより、床下の内部空間５と通路４の空間とが、それら複数の孔を介して連通している。
【００３４】
次いで、電算機室１０１において利用される電算機室用空調システム１００について説明する。
電算機室用空調システム１００は、通路４を挟んで両側に対向配置され、かつ各々互いに隣接するようにそれぞれ複数個設置されているラック（機器収容用ラック）３と、空気調和装置６とを備えている。
ラック３は、略直方体形の箱状に形成されており、通信装置等の各種機器を収容するものである。これらラック３は、通路４の両側に配置されており、通路４の長手方向に沿って、それぞれ複数配列されている。ラック３は、互いに対向する対向面(前面３ｂ)に形成された給気口(不図示)から、通路４の空間の空気を給気し、給気した空気を上面３ａ又は背面の吹出口から上方又は後方に向けて吹き出すようになっている。
【００３５】
また、図１に示すように、空気調和装置６は、箱状に形成されている。この空気調和装置６は、ラック３の側方であって、通路４の長手方向の一端（図１における右方）側に配置されている。そして、空気調和装置６は、下面６ｂの吹出口から冷却用空気を吹き出し、電算機室１０１の上方空間を流動する空気を、その上面６ａの吸引口から吸引し、冷却した後、再び吹出口から吹き出すようになっている。
【００３６】
また、図１に示す符号１３は、通路４の長手方向の一端部に配置され、該通路４の空間と外部の空間とを区画する壁体である。壁体１３と空気調和装置６とは、互いに間隔を開け配設されている。また、壁体１３には、開閉自在の扉１３ａが設けられている。
このように構成されていることにより、壁体１３によって通路４側の空間と空調装置６側の空間とが遮断され、孔あきパネル７から吹き出された冷気が直接空気調和装置６の吸込口６ａに吸い込まれることが防止されている（ショートサーキット現象の防止）。従って、空気調和機から吹き出された冷気がラック3に供給されるまでの間、漏れを最小限に抑えることができるため、空気調和機の冷却効率を向上させることができる。
また、扉１３ａが設けられていることにより、作業員が扉１３ａを通って通路４内に出入りできる。
【００３７】
また、通路４の長手方向の他端（図１における左方）部にも、開閉自在の扉１４ａを有する壁体１４が設けられている。これにより、ラック３から排気された排熱が通路４の他端側で回り込んで通路４内に入り込むことが防止される。従って、他端側のラック３の上部に収容された機器であっても充分に冷却を行うことができる。また、扉１４ａが設けられていることにより、作業員が扉１４ａを通って通路４内に出入りできる。
【００３８】
また、図１〜図３に示すように、通路４を挟んで両側に配置されたラック３同士の上面３ａ間には、ロールスクリーンユニット１１０が設けられている。ロールスクリーンユニット１１０は、ロールスクリーンボックス２００と、２つのガイドレール３００Ａ、３００Ｂと、保持ボックス４００と、ロールスクリーン５００とを主な構成要素とするものである。
【００３９】
図４に示すように、ロールスクリーンボックス２００は、断面矩形の輪郭を有して、一方向に延在するものであり、その内部に巻取軸２２０が回転自在に支持されたものである。該巻取軸２２０には、後述するように、ロールスクリーン５００が巻き取られている。
ロールスクリーンボックス２００は、ラック３の上面３ａに、以下の構造を有して取り付けられている。
すなわち、ラック３の上面３ａには、断面Ｌ字状のフレーム２３０が、その下壁部の下面側にプレート（頭つなぎ）を介在させた状態で、その下壁部２３１においてボルト２３２及びナット２３３によって固定されており、同断面Ｌ字状のフレームの立上壁部２３４に沿って、一定の厚みを有する取付ゴム２４０が配置されている。この取付ゴム２４０は、その下半部がボルト２３５及びナット２３６によって断面Ｌ字状のフレーム２３０の立上壁部２３４に固定され、その上半部が同断面Ｌ字状のフレーム２３０の立上壁部２３４の上方に一定の寸法で突出している。上記の断面Ｌ字状のフレーム２３０及び上部プレート２９０は、その内部を器具配置空間２３０Ａとする器具配置部材２３０Ｂを構成している。
立上壁部２３４の上端部には、上部プレート２９０が固定されている。この上部プレート２９０は、主壁部２９１の両端に下方への折曲壁部２９２、２９３を有するものであり、折曲壁部２９３がビスにより立上壁部２３４に固定されている。
前記Ｌ字状のフレーム２３０における下壁部２３１の前端部には、折曲壁部２３７が形成されており、この折曲壁部２３７と前記上部プレート２９０の折曲壁部２９２の前端側のものとの間には、図５に示すように、補強板２９６及び透光板２９７がビスにより固定されている。
この場合、補強板２９６は、断面Ｌ字状のフレーム２３０及び上部プレート２９０の長手方向に向けて一定間隔おきに設けられており、透光板２９７は、各補強板２９６の間に位置するように設けられている。
この補強板２９６は、断面Ｌ字状のフレーム２３０、上部プレート２９０とともに、断面矩形状の部材を構成し、全体として、ロールスクリーンユニット１１０の保持する十分な強度を有するものとなっている。
透光板２９７は、アクリル材等の透明又は半透明の板材であり、後述する照明ランプ２３９、４３９からの光を通路４内に照射できるようになっている。
なお、この実施形態において、図１に示すように、各ラック３の高さは、同一の高さのものとされているが、異なる高さのラック３を配置する構成とした場合には、図５に示すように、断面Ｌ字状のフレーム２３０の立上壁部２３４の高さ寸法を適切な寸法とし、且つ補強板２９６及び透光板２９７の高さを調整することにより、ラック３の高さの相違によるロールスクリーンユニット１１０の保持位置が定位置となるようになっている。
前記上部プレート２９０の主壁部２９１の上面には、クッションゴム２５０が配置されており、クッションゴム２５０は、ねじ２３８によって主壁部２９１の上面に固定されている。
ロールスクリーンボックス２００は、その下面をクッションゴム２５０に当接させ、かつその一側面を取付ゴム２４０の上半部の前面に当接して配置され、ロールスクリーンボックス２００の一側面が取付ゴム２４０に対してボルト２５１及びナット２５２により固定されている。
なお、ロールスクリーンボックス２００内において、巻取軸２２０に巻き取られているロールスクリーン５００は、ロールスクリーンボックス２００の前面に形成された開口部２６０から外方水平方向へ引き出し可能となっている。この場合、巻取軸２２０には、つるまきバネ２８０（巻取機構）が付設されており、ロールスクリーン５００は巻き取られる方向に付勢されている。
上記の構成において、ロールスクリーンボックス２００、巻取軸２２０、及び前述したつるまきバネ２８０は、巻取部２７０を構成している。
【００４０】
図６に示すように、保持ボックス４００は、ロールスクリーンボックス２００と同様に、断面矩形の輪郭を有して、一方向に延在するものである。
この保持ボックス４００は、前述したロールスクリーンボックス２００が設けられたラック３に対向するラック３の上面３ａ側に位置して配置されたものである。
図６に示すように、ラック３の上面３ａには、断面Ｌ字状のフレーム４３０が配置され、その下壁部４３１がボルト４３２及びナット４３３によってラック３の上面３ａに固定され、その立上壁部４３４には、上部プレート４９０の折曲壁部４９３がビスにより固定されている。上部プレート４９０の折曲壁部４９２と断面Ｌ字状のフレーム４３０の折曲壁部４３７との間には、補強板４９６及び透光板（図示せず）がビスにより固定されており、これらの構成は、図５及び図６に示す、ロールスクリーンボックス２００側の構成と同様である。上記の断面Ｌ字状のフレーム４３０及び上部プレート４９０は、その内部を器具配置空間４３０Ａとする器具配置部材４３０Ｂを構成している。
上部プレート４９０の主壁部４９１には、滑りプレート４２０がねじ４３８により固定されている。
そして、保持ボックス４００の下面には、クッションゴム４５０が貼着されている。
この保持ボックス４００は、この滑りプレート４２０上において水平方向に移動可能である。
【００４１】
図３に示すように、ガイドレール３００Ａは、その一端部３０１がロールスクリーンボックス２００に固定され、他端部３０２が保持ボックス４００にそれぞれ固定される。
これら、ロールスクリーンボックス２００、保持ボックス４００、及びガイドレール３００Ａ、３００Ｂは、図１及び図２に示すように、全体として矩形の枠を構成するように互いに固定されている。
この場合、図２に示すように、一方のガイドレール３００Ａの一端３００ａは、ロールスクリーンボックス２００の端部２００ａに固定され、同ガイドレール３００Ａの他端３００ｂは、保持ボックス４００の端部４００ａに固定されている。また、他方のガイドレール３００Ｂの一端３００ａは、ロールスクリーンボックス２００の端部２００ｂに固定され、他方のガイドレール３００Ｂの他端３００ｂは、保持ボックス４００の端部４００ｂに固定されている。
ガイドレール３００Ａは、図７に示すように、レールボックス３１０と、レールボックス３１０の内部に配置されるレール本体３２０と、ガイド部３３０と主な構成要素とするものである。
レールボックス３１０は、断面コ字状に形成されたレール保持壁部３１０Ａと、このレール保持壁部３１０Ａの主壁部３１２に形成された収納壁部３１０Ｂと、からなるものであり、このレール保持壁部３１０Ａの開口部３１１を後述するロールスクリーン５００が配置される側に位置させて配置されている。図７及び図８に示すように、収納壁部３１０Ｂ内は、配線用空間３１５とされており、この配線用空間３１５内には、各種設備機器の電力線又は信号線などの配線が収納されている。これらの配線は、収納壁部３１０Ｂの開口部３１３から引き出すことができる。また、図８に示すように、レールボックス３１０の下面には、温度センサー３１６又は火災報知器３１７などが設けられている。
レール本体３２０は、上下方向に延在する基部３２１と、該基部の側方に設けられた保持壁部３２２とからなるものであり、保持壁部３２２が形成された部分は、一方向に延在する内部が中空部３２２ａとなっており、該保持壁部３２２には、該一方向に向けて前記中空部３２２ａを外方に連通させるためのスリット３２３が形成されている。
また、ガイド部３３０は、レールボックス３１０の開口部３１１側に固定されたものであって、その上側に位置するガイド部３３０ａ及びその下側に位置するガイド部３３０ｂとからなっている。前記レール本体３２０は、その基部３２１の上端部及び下端部がスポンジ等からなる弾性部材３２４を介して、レールボックス３１０の端部及びガイド部３３０ａ、３３０ｂの端部に接着剤などにより固定されている。
ガイドレール３００Ｂも、ガイドレール３００Ａと同様に構成されている。
【００４２】
ロールスクリーン５００は、例えばガラスクロスなどの不燃性材料から形成され、可撓性を有するものであり、前述したように、その基端がロールスクリーンボックス２００内の巻取軸２２０に固定され、かつその基端側から巻取軸２２０に順次巻き取られるように構成されるものである。
該ロールスクリーン５００の先端側には、図２及び図７に示すように、ウエイトバー５１０が固定されている。ウエイトバー５１０は、ロールスクリーン５００が可撓性を有するため、少なくともその先端部が一方向に直線状の形状を保持させるためのものであって、バー５１０ａ及びバー５１０ｂによりロールスクリーン５００を挟持する状態で該ロールスクリーン５００に固定されている。
この場合、ウエイトバー５１０とロールスクリーン５００との取付状態は、図７に示すように、ロールスクリーン５００の両端部がウエイトバー５１０から側方に僅かに突出する状態とされている。
ロールスクリーン５００の両側部は、前述したガイドレール３００Ａ、３００Ｂにおけるレール本体３２０のスリット３２３内に走行自在に配置されている。この場合、ロールスクリーンユニット５００の両側部には、図７に示すように、スリット３２３の幅寸法より大きい厚さ寸法を有する肉厚部５０１が形成されており、ロールスクリーン５００の両側部がスリット３２３から抜け出さないようになっている。
また、ウエイトバー５１０の両端は、ガイド部３３０ａの下端面とガイド部３３０ｂの上端面との間に走行自在に配置されている。
また、ウエイトバー５１０の左右方向の中央部には、図２及び図４に示すように、把手５２０が設けられている。この把手５２０は、ロールスクリーン５００をロールスクリーンボックス２００から引き出す際に、作業者が把持して、ロールスクリーン５００を引き出させるようにするものである。把手５２０の近傍には、図４に示すように、係止部材５３０が軸５３１に回動自在に取り付けられている。係止部材５３０は、操作部５３２と係止爪５３３とを有する。
一方、保持ボックス４００には、図６に示すように、係止爪４６１を有する被係止部材４６０が固定されている。
作業者が把手５２０を把持して、ロールスクリーン５００を引き出し、ウエイトバー５１０を保持ボックス４００まで到らせた場合に、ウエイトバー５１０の係止部材５３０を操作して同係止部材５３０の係止爪５３３を被係止部材４６０の係止爪４６１に係合できるようになっている。
また、ウエイトバー５１０の重量及びウエイトバー５１０とガイドレール３００Ａ、３００Ｂとの摩擦力は、ロールスクリーン５００を巻取部２７０に向けて引張る巻取部２７０の引張力より大きく設定されているので、ウエイトバー５１０は、ガイドレール３００Ａ、３００Ｂ上の任意の位置に留まることができる。
【００４３】
図１に示すように、上述したロールスクリーンユニット１１０は、通路４を挟んで対向する一組のラック３同士のそれぞれの上面３ａに設けられている。
この場合、図７及び図８に示すように、各ロールスクリーンユニット１１０の隣接するガイドレール３００Ａ、３００Ｂは、密着して配置されており、各ロールスクリーン５００間に隙間が生じないようになっている。すなわち、ガイドレール３００Ａ、３００Ｂの各レールボックス３１０における収納壁部３１０Ｂ同士は、それぞれ後端面３１４同士がクッションゴム３４０を介在させた状態で、互いに空気の流通がなされないように密に接合されている。なお、クッションゴム３４０は、レールボックスの後端面３１４に接着されてよい。
なお、図４及び図６において、断面Ｌ字状のフレーム２３０、４３０の立上壁部２３４、４３４には、器具配置空間２３０Ａ、４３０Ａ内に設置させて照明ランプ（照明器具）２３９、４３９が取り付けられてもよく、この照明ランプ２３９、４３９を点灯することによって通路４内の照明がなされる。
【００４４】
次に、本実施形態における電算機室用空調システム１００の冷却作用について説明する。
図１に示す電算機室１０１において、ラック３に収容された通信装置などが動作することにより、それら各機器が熱を帯びてしまう。そのため、動作している各機器を冷却する必要がある。
そこで、空気調和装置６の下面６ｂの吹出口から、内部空間５に冷却用空気を吹き出す。この冷却用空気は、内部空間５を通って、孔あきパネル７の複数の孔から上方（通路４の空間）に吹き出される。そして、通路４の空間に送られた冷却用空気は、ラック３の前面３ｂの給気口から給気され、熱交換作用により、各機器を冷却する。これにより、給気された空気は、暖められて温熱空気となる。その温熱空気は、ラック３の上面３ａ又は背面の吹出口から上方に吹き出される。さらに、吹き出された温熱空気は、電算機室１０１の上方空間を、通路４の長手方向に沿うように一端側へ流動し、空気調和装置６の上面６ａの吸引口から吸引され、冷却された後、再び下面６ｂの吹出口から吹き出される。
これにより、電算機室１０１内の空気の流れや温度がコントロールされ、各機器の良好な動作状態が維持される。
【００４５】
ところで、従来では、ラック３の上面３ａ又は背面から吹き出された温熱空気は、空気調和装置６に給気される前に、通路４の空間に還流されて、ラック３の前面３ｂから給気されてしまう場合があった。
しかしながら、本実施形態においては、通路４を挟んで対向するラック３の上面３ａ同士の間にロールスクリーンユニット１１０が配置されており、ラック３の上方空間と通路４の空間とが仕切られていることから、ラック３の上面３ａの温熱空気が通路４の空間に流動することが規制される。すなわち、通路４の空間は、二重床２の床上から遮蔽体１１にわたって、冷却用空気で常に満たされる。
【００４６】
ここで、電算機室用空調システム１００は、通路４を挟んで両側に配置されるラック３同士の上面３ａ間にロールスクリーンユニット１１０を配置し、ロールスクリーンユニット１１０により通路４とラック３の上方の空間とを区画することができる。このように、区画した場合には、ラック３から吹き出された空気が、通路４に還流されてラック３に吸い込まれることが防止されるとともに空気調和装置６に確実に送られて、空気調和機の冷却効率が向上する。
電算機室用空調システム１００を運転する際には、ロールスクリーンユニット１１０について、作業者がロールスクリーン５００の先端部に設けられた把手５２０を把持し、これを操作して、ロールスクリーン５００を巻取部２７０から引き出し、ラック３同士の上面３ａ間をロールスクリーン５００により覆うようにする。そして、係止部材５３０の操作部５３２を操作して係止爪５３３を被係止部材４６０の係止爪４６１に係止させる。
この状態において、ロールスクリーン５００は、ラック３同士の上面３ａ間を覆う一方、その両端部がガイドレール３００Ａ、３００Ｂに支持されているため、撓みを生じることなく、矩形形状が維持され、上記位置に固定される。
この場合、ロールスクリーン５００は、その両端部がガイドレール３００Ａ、３００Ｂのレール本体３２０のスリット３２３内に挿入されているので、ガイドレール３００Ａ、３００Ｂとロールスクリーン５００との間の隙間が極僅かなものとなる。
また、各ラック３間に設けられたロールスクリーンユニット１１０は、隣接するガイドレール３００Ａ、３００Ｂ同士が密着配置されているので、これらの間に隙間等が生じることのない状態となる。
従って、上記のように空気調和１００を運転した場合には、通路４とラック３の上方の空間とは、ロールスクリーン５００により確実に区画され、ＩＴ装置の高温障害が防止され、空気調和機の冷却効率が向上する。
【００４７】
また、電算機室用空調システム１００の運転中に、ラック３の上方に位置される電算機室１０１内の設備機器について、保守・点検・整備を行う際には、作業者が把手５２０を操作して、ロールスクリーン５００を巻取部２７０内に移動させ、ロールスクリーン５００を巻取軸２２０に巻き取らせるようにする。
この際、開放させた部分から、高温排気が通路内に侵入してしまうが、ロールスクリーン５００の移動量を適宜設定して、ロールスクリーン５００の引出し位置により、ロールスクリーンユニット１１０の開口面積を最小限に抑えることにより、ＩＴ機器の高温障害リスクを低減することができる。
すなわち、ウエイトバー５１０を移動させた場合、該ウエイトバー５１０の自重及び該ウエイトバー５１０とガイドレール３００Ａ、３００Ｂとの摩擦力が、巻取部２７０の引張力より大きい関係に設定してあるので、ウエイトバー５１０の位置を任意の位置とすることができる。
また、地震等の外力により、係止爪４６１が被係止部材４６０から外れ、摩擦力を超えるような加速度が加わる場合に備えて、ストッパー（図示されていない）などによりあらかじめ決められた位置で停止するような機構を備えても良い。
なお、巻取部２７０において、ロールスクリーン５００の巻取りは、つるまきバネ２８０によってなされる。
【００４８】
また、電算機室用空調システム１００では、地震等によりラック３を含めた機器に振動が与えられた場合に、ロールスクリーンユニット１１０のロールスクリーンボックス２００は、取付ゴム２４０を介してラック３の上面３ａに固定された断面Ｌ字状のフレーム２３０に固定されているが、保持ボックス４００は、他方側のラック３の上面３ａに固定された断面Ｌ字状のフレーム４３０に対して水平方向に相対移動可能であるため、振動によって、ラック３又はロールスクリーンユニット１１０の各部が損傷を受けたり、破壊されたりすることはない。
【００４９】
この電算機室用空調システム１００によれば、電算機室１０１の通路４の遮蔽体にロールスクリーン５００を有するロールスクリーンユニット１１０を採用したので、従来のパネル状の遮蔽体と比較して、遮蔽体が軽量化され、その取扱いが容易になり、確実な遮蔽を提供することができる。
作業者が電算機室１０１の設備機器の保守・点検・整備を行う際には、ロールスクリーン５００を巻取り、又は引出すことが可能であり、巻き取られたロールスクリーン５００を巻取部２７０に収容可能であるので、ロールスクリーン５００をラック３の上面３ａから取り外す必要が無い。従って、設備機器の保守・点検・整備における作業負荷の軽減、及び取り外したロールスクリーンの設置スペースが不要であり、作業者は、ロールスクリーン５００の開閉操作が容易になる。
さらに、ロールスクリーン５００を支持するガイドレール３００Ａ、３００Ｂが設けられているので、ロールスクリーン５００の自重による撓み、及び空気調和装置６の運転状態に伴う圧力変化によるロールスクリーン５００の撓みが防止される。また、ロールスクリーン５００は、その撓みを防止されているので、機器収容用ラック３の前面３ｂに設けられた扉の開閉を妨げることはない。
【００５０】
また、ガイドレール３００Ａ、３００Ｂは、レールボックス３１０と、レールボックス３１０の内部に配置されるレール本体３２０と、ガイド部３３０とからそれぞれ構成され、レール本体３２０は、上下方向に延在する基部３２１と、該基部の側方に設けられた保持壁部３２２とからなりものであり、保持壁部３２２が形成された部分は、一方向に延在する内部が中空部３２２ａとなっており、該保持壁部３２２には、該一方向に向けて前記中空部３２２ａを外方に連通させるためのスリット３２３が設けられているので、ロールスクリーン５００の側部がレール本体３２０のスリット３２３内に位置して、走行可能とされているので、隙間がほとんど無くなり、空気調和装置６からの冷却用空気の漏れ又はＩＴ機器や通信装置の排気の侵入を最小限に抑えることができる。
【００５１】
また、ロールスクリーン５００の引き出された先端部には、ロールスクリーン５００の幅方向にウエイトバー５１０が取り付けられ、ウエイトバー５１０の両端がガイドレール３００Ａ、３００Ｂに支持され、かつガイドレール３００Ａ、３００Ｂ上を走行自在とされているので、ウエイトバー５１０は、ロールスクリーン５００の先端部の撓みを防止することができる。
【００５２】
また、巻取部２７０は、ロールスクリーン５００を引張して巻き取る巻取機構２７０を備え、ウエイトバー５１０の重量及び該ウエイトバー５１０と前記ガイドレール３００Ａ、３００Ｂとの摩擦力は、ウエイトバー５１０をガイドレール３００Ａ、３００Ｂ上の任意の位置に留めるときに、巻取機構２７０の引張力に抗して、その位置に留まる大きさとされているので、ウエイトバー５１０がガイドレール３００Ａ、３００Ｂ上の任意の位置に留まることができる。従って、ロールスクリーン５００を引き出す位置を調整可能にし、通路４内の冷却用空気の漏れ又はＩＴ機器や通信装置の排気の侵入を最小限に抑えることができる。
【００５３】
また、本実施形態においては、隣接するロールスクリーンユニット１１０は、ガイドレール３００Ａ、３００Ｂを互いに密接して配置するので、通路４内の冷却用空気が外部に漏れることが防止される。
従って、通路４内の冷却用空気は、外部に漏れることなく、常にラック３に吸気されるので、ラック３に収容されたＩＴ機器や通信装置であっても充分に冷却することができ、空気調和機から過剰な冷気を供給する必要がないため、空気調和機の冷却効率が向上する。
【００５４】
また、ロールスクリーン５００をロールスクリーンボックス２００から引き出して、ロールスクリーン５００の先端部に配置されたウエイトバー５１０を他方側のラック３に到らせたときに、ウエイトバー５１０は、ラック３の被係止部材４６０に係止する係止部材５３０を備えているので、ロールスクリーン５００が不用意に開くことを防止し、通路４の遮蔽を確実にすることができる。
【００５５】
また、ロールスクリーンユニット１１０が通路４を挟んだ両側のラック３同士を相対移動可能に設置されているので、地震等によりこれらラック３が振動又は揺動により変位しても、互いに応力を及ぼすことなく、それら変位が許容される。そのため、ラック３又はロールスクリーンユニット１１０などが破損することが防止されている。
すなわち、例えば通路４を挟んで両側に配置されたラック３同士を、ロールスクリーンユニット１１０を用いて相対移動不可に固定接続した場合と比較して、地震等によりこれらラック３が振動又は揺動して互いに応力を及ぼし合い、許容変位量を越えて大きく変形して破損したり、ロールスクリーンユニット１１０が変形して破損したりするようなことが確実に防止される。
さらに、ロールスクリーンユニット１１０のロールスクリーンボックス２００は、通路４を挟んで対向する一方側のラック３の上面３ａに、取付ゴム２４０を介して固定されているので、地震が収束した後に、ロールスクリーンユニット１１０は、取付ゴム２４０によって静止状態における初期位置と略同一の位置に戻ることができる。
【００５６】
図９及び図１０は、本願の別の実施形態を示す図である。
なお、これらの図において、上述した実施形態における図６に示す構成要素と同一部分には、同一の符号を付し、その説明を省略する。
この実施の形態が、図６にものと異なる点は、図９及び図１０に示すように、上部プレート４９０及び新たに設ける他の上部プレート６１０を、図６に示す滑りプレートの代わりとした点である。すなわち、図９及び図１０に示すように、ラック３の上面３ａには、断面Ｌ字状のフレーム４３０の後端側に位置させて、立上プレート６２０及び他の上部プレート６１０が設けられている。
他の上部プレート６１０は、主壁部６１１の両端部に折曲壁部６１２、６２３を形成したものであって、折曲壁部６１２が、上部プレート４９０の折曲壁部４１３及び断面Ｌ字状フレーム４３０の立上壁部４３４にボルト４９４及びナット４９５により固定されている。
また、立上プレート６２０は、主壁部６２１の下端部に折曲壁部６２２が形成されたものであって、この折曲壁部６２２をラック３の上面３ａに当接させた状態で、この上部プレート６１０の折曲壁部６１３にボルト６１４及びナット６１５により固定されている。
この構成において、上部プレート４９０及び他の上部プレート６１０は、図６に示す滑りプレート４２０の役割を果たすものであって、保持ボックス４００のクッションゴム４５０が、上部プレート４９０及び他の上部プレート６１０の上面にて、水平方向に相対移動できるようになっている。
従って、この実施の形態においても、地震等によって各部に振動が加えられた場合、上記の相対移動により、ロールスクリーンユニットなどの破壊が防止できる。
【００５７】
また、上記の実施形態においては、ロールスクリーンボックス２００及び保持ボックス４００のそれぞれ幅寸法をラック３の幅寸法と略一致させる構成としたが、この構成に加えて、ロールスクリーンボックス２００及び保持ボックス４００は、それぞれ幅寸法を２つ分の幅寸法とし、各ラック３に跨るように設置してもよく、さらに、これらの寸法を適宜変更して、隣接するラック３の位置ずれや、異なる幅寸法のラック３を隣接して配置した場合にラック３全体の高さに適合するように構成されてもよい。
【符号の説明】
【００５８】
２  二重床（床）
３  ラック（機器収容用ラック）
３ａ  上面
３ｂ  前面
４  通路
５  内部空間
６  空気調和装置
８  長孔（孔）
１００  電算機室用空調システム
１１０  ロールスクリーンユニット
２００  ロールスクリーンボックス
２２０  巻取軸
２３０、４３０  断面Ｌ字状のフレーム
２４０  取付ゴム
２５０、４５０  クッションゴム
２７０  巻取部
２９０、４９０  上部プレート
３００Ａ、３００Ｂ  ガイドレール
３１０  レールボックス
３２０  レール本体
３３０、３３０ａ、３３０ｂ  ガイド部
３４０  クッションゴム
４００  保持ボックス
４２０  滑りプレート
４６０  被係止部材
５００  ロールスクリーン
５１０  ウエイトバー
５２０  把手
５３０  係止部材
６１０  他の上部プレート
６２０  立上プレート
【図１】
2010230188.tif 000003
【図２】
2010230188.tif 000004
【図３】
2010230188.tif 000005
【図４】
2010230188.tif 000006
【図５】
2010230188.tif 000007
【図６】
2010230188.tif 000008
【図７】
2010230188.tif 000009
【図８】
2010230188.tif 000010
【図９】
2010230188.tif 000011
【図１０】
2010230188.tif 000012